(57)【要約】【課題】禁止ネットワークリストを好適に管理する方法を提供する。【解決手段】ワイヤレスユーザ装備（ＵＥ）装置（１０２）上にて禁止されたネットワークリストを管理する方法の一実施形態において、複数のネットワーク選択制御コード（４０２）を、対応する複数のネットワーク選択基準（４０４）に関連させる第１のデータベース構造（４００Ａ）が提供され、ネットワーク選択基準（４０４）が、ワイヤレス装置（１０２）に関連するネットワークリストにおいて識別されたネットワークに対して、異なる処理オプションを規定する。対応するネットワーク識別子（４２２）によって識別されるネットワークのリストが配置される第２のデータベース構造（４００Ｂ）が提供され、それぞれのネットワーク識別子が、第１のデータベース構造（４００Ａ）において識別される、対応するネットワーク選択制御コード（４０２）に関連する。【選択図】図４
2007013986.tif 000002
【特許請求の範囲】
【請求項１】
ワイヤレス装置（１０２）上のネットワークリストのアプリケーションを管理する方法であって、
複数のネットワーク選択制御コード（４０２）を、対応する複数のネットワーク選択基準（４０４）に関連させる第１のデータベース構造（４００Ａ）を提供することであって、該ネットワーク選択基準（４０４）が、該ワイヤレス装置（１０２）に関連するネットワークリスト（３００）において識別されたネットワークに対して、異なる処理オプションを規定する、ことと、
対応するネットワーク識別子（４２２）によって識別されるネットワークのリストが配置される第２のデータベース構造（４００Ｂ）を提供することであって、それぞれのネットワーク識別子が、該第１のデータベース構造（４００Ａ）において識別される、対応するネットワーク選択制御コード（４０２）に関連する、ことと
を包含する、方法。
【請求項２】
前記第１および前記第２のデータベース構造（４００Ａ、４００Ｂ）のうちの少なくとも一つが、前記ワイヤレス装置（１０２）に結合されるように動作可能である着脱可能な記憶装置モジュール（２１４）上に格納される、請求項１に記載のワイヤレス装置（１０２）上のネットワークリストのアプリケーションを管理する方法。
【請求項３】
前記第１および前記第２のデータベース構造（４００Ａ、４００Ｂ）のうちの少なくとも一つが、前記ワイヤレス装置（１０２）内に一体化されるメモリモジュールに格納される、請求項１に記載のワイヤレス装置（１０２）上のネットワークリストのアプリケーションを管理する方法。
【請求項４】
前記第１および前記第２のデータベース構造（４００Ａ、４００Ｂ）のうちの少なくとも一つが、前記ワイヤレス装置（１０２）に関連するホームネットワークオペレータによってのみ、更新されるように動作可能である、請求項１から請求項３のいずれか一項に記載のワイヤレス装置（１０２）上のネットワークリストのアプリケーションを管理する方法。
【請求項５】
前記ネットワークリスト（３００）が、ユーザ規定の禁止ネットワークリスト、オペレータ規定の禁止ネットワークリスト、および企業規定の禁止ネットワークリストのうちの少なくとも一つを含む、請求項１から請求項４のいずれか一項に記載のワイヤレス装置（１０２）上のネットワークリストのアプリケーションを管理する方法。
【請求項６】
ワイヤレス装置（１０２）に関連するネットワークリストのアプリケーションによって変更されるネットワーク選択方法であって、
スキャニング（５０２）を介して、該ワイヤレス装置（１０２）によって発見される少なくとも一つのネットワークに関連するネットワーク識別子を決定すること（５０４）と、
該ネットワーク識別子に関連する選択制御コードを決定すること（５０６）と、
該選択制御コードに依存して、該少なくとも一つのネットワークに関連した特定の選択基準を適用すること（５０８）と
を備える、ネットワーク選択方法。
【請求項７】
前記スキャニング（５０２）が初期スキャン手順およびバックグラウンド手順のうちの一つとして実行される、請求項６に記載のワイヤレス装置（１０２）に関連するネットワークリストのアプリケーションによって変更されるネットワーク選択方法。
【請求項８】
前記ネットワーク識別子に関連する選択制御コードを決定すること（５０６）が、対応するネットワーク識別子によって識別されるネットワークのリストが配置されるデータベース構造（４００Ａ、４００Ｂ）をクエリすることを包含し、それぞれのネットワーク識別子が、特定の選択基準を識別するように動作可能である、対応するネットワーク選択制御コードに関連する、請求項６または７に記載のワイヤレス装置（１０２）に関連するネットワークリストのアプリケーションによって変更されるネットワーク選択方法。
【請求項９】
前記ネットワークのリストが、ユーザ規定の禁止ネットワークリスト、オペレータ規定の禁止ネットワークリスト、および企業規定の禁止ネットワークリストのうちの少なくとも一つを含む、請求項８に記載のワイヤレス装置（１０２）に関連するネットワークリストのアプリケーションによって変更されるネットワーク選択方法。
【請求項１０】
ワイヤレス装置（１０２）上のネットワークリストのアプリケーションを管理するシステムであって、
複数のネットワーク選択制御コード（４０２）を、対応する複数のネットワーク選択基準（４０４）に関連させる第１のデータベース構造（４００Ａ）であって、該ネットワーク選択基準（４０４）が、該ワイヤレス装置（１０２）に関連するネットワークリスト（３００）において識別されたネットワークに対して、異なる処理オプションを規定する、第１のデータベース構造（４００Ａ）と、
対応するネットワーク識別子（４２２）によって識別されるネットワークのリストが配置される第２のデータベース構造（４００Ｂ）であって、それぞれのネットワーク識別子が、該第１のデータベース構造（４００Ａ）において識別される、対応するネットワーク選択制御コード（４０２）に関連する、第２のデータベース構造（４００Ｂ）と
を備える、システム。
【請求項１１】
前記第１および前記第２のデータベース構造（４００Ａ、４００Ｂ）のうちの少なくとも一つが、前記ワイヤレス装置（１０２）に結合されるように動作可能である着脱可能な記憶装置モジュール（２１４）上に格納される、請求項１０に記載のワイヤレス装置（１０２）上のネットワークリストのアプリケーションを管理するシステム。
【請求項１２】
前記第１および前記第２のデータベース構造（４００Ａ、４００Ｂ）のうちの少なくとも一つが、前記ワイヤレス装置（１０２）内に一体化されるメモリモジュールに格納される、請求項１０に記載のワイヤレス装置（１０２）上のネットワークリストのアプリケーションを管理するシステム。
【請求項１３】
前記第１および前記第２のデータベース構造のうちの少なくとも一つが、前記ワイヤレス装置（１０２）に関連するホームネットワークオペレータによってのみ、更新されるように動作可能である、請求項１０から請求項１２のいずれか一項に記載のワイヤレス装置（１０２）上のネットワークリストのアプリケーションを管理するシステム。
【請求項１４】
前記ネットワークリスト（３００）が、ユーザ規定の禁止ネットワークリスト、オペレータ規定の禁止ネットワークリスト、および企業規定の禁止ネットワークリストのうちの少なくとも一つを含む、請求項１０から請求項１３のいずれか一項に記載のワイヤレス装置（１０２）上のネットワークリストのアプリケーションを管理するシステム。
【発明の詳細な説明】
【技術分野】
【０００１】
（関連出願の参照）
本出願は、以下の共有に係る同時係属の米国特許出願、（ｉ）「ＳＹＳＴＥＭ  ＡＮＤ  ＭＥＴＨＯＤ  ＦＯＲ  ＰＲＯＶＩＤＩＮＧ  ＮＥＴＷＯＲＫ  ＡＤＶＥＲＴＩＳＥＭＥＮＴ  ＩＮＦＯＲＭＡＴＩＯＮ  ＶＩＡ  Ａ  ＮＥＴＷＯＲＫ  ＡＤＶＥＲＴＩＳＥＭＥＮＴ  ＢＲＯＫＥＲ（ＮＡＢ）」、Ａｄｒｉａｎ  Ｂｕｃｋｌｅｙ、  Ｐａｕｌ  Ｃａｒｐｅｎｔｅｒ、  Ｎｉｃｈｏｌａｓ  Ｐ．  Ａｌｆａｎｏ、  およびＡｎｄｒｅｗ  Ａｌｌｅｎ（代理人整理番号第１４００−１０３６ＵＳ）らの名において、２００５年４月２８日に出願された、出願番号第１１／１１６，４７０号、（ｉｉ）「ＮＥＴＷＯＲＫ  ＳＥＬＥＣＴＩＯＮ  ＳＣＨＥＭＥ  ＵＳＩＮＧ  Ａ  ＲＯＡＭＩＮＧ  ＢＲＯＫＥＲ（ＲＢ）」、Ａｄｒｉａｎ  Ｂｕｃｋｌｅｙ、  Ｐａｕｌ  Ｃａｒｐｅｎｔｅｒ、  Ｎｉｃｈｏｌａｓ  Ｐ．  Ａｌｆａｎｏ、  およびＡｎｄｒｅｗ  Ａｌｌｅｎ（代理人整理番号第１４００−１０３７ＵＳ）らの名において、２００５年４月２８日に出願された、出願番号第１１／１１６，４６１号において開示された主題に関し、それぞれは、その全体においてここに援用される。
【０００２】
本出願開示は一般に、通信ネットワークに関する。より詳細には、および任意の限定の目的ではなく、本特許出願は、ワイヤレスユーザ装備（ＵＥ）装置における、禁止されたネットワークリストを管理するためのシステムおよび方法に関する。
【背景技術】
【０００３】
ワイヤレス通信技術において、ワイヤレスモバイル装備（ＭＥ）装置に関連する着脱可能なモジュールを使用することは良く知られている。そのような着脱可能なモジュールは、一般的に、必要な場合にＭＥ装置にダウンロードされ得る多数のネットワークリスト（例えば、禁止されたネットワークのリスト）を提供する。また、そのようなリストは、ワイヤレス装置と一体化されるメモリ内に用意され得る。
【０００４】
現在、ワイヤレス装置が、手動のネットワーク選択プロセスを介して、または、ホームネットワークとは異なるネットワークへのネットワーク選択の企てを介して、禁止されたネットワークリストを上書きすることが可能である。ネットワークオペレータは通常、ユーザ経験（例えば、良く知られた無線またはＯＴＡメカニズムを介した）を修正または改良するために、禁止されたネットワークリストを含む様々なネットワークリストを用意および制御するゆえ、ユーザリストを介した効率的な制御が一部の方法において実行されることが極めて重要になる。付け加えて、ネットワークリストのアプリケーションを介したそのような制御は、ネットワークリストに対する適切なＯＴＡの更新を介して、さらに画一したユーザ経験を容易にする。
【発明の開示】
【課題を解決するための手段】
【０００５】
一実施形態において、本開示は、ワイヤレス装置上のネットワークリストのアプリケーションを管理する方法に関し、該方法は、複数のネットワーク選択制御コードを、対応する複数のネットワーク選択基準に関連させる第１のデータベース構造を提供することであって、ネットワーク選択基準が、ワイヤレス装置に関連するネットワークリスト（例えば、ＦＰＬＭＮリストなど）において識別されたネットワークに対して、異なる処理オプションを規定する、ことと、対応するネットワーク識別子によって識別されるネットワークのリストが配置される第２のデータベース構造を提供することであって、それぞれのネットワーク識別子が、第１のデータベース構造において識別される、対応するネットワーク選択制御コードに関連する、こととの動作のうちの一つ以上を含む。例示的なインプリメンテーションのために、第１および第２のデータベース構造のいずれか、またはその両方は、着脱可能な記憶装置モジュール（ＲＳＭ）の一部として、またはワイヤレス装置のメモリ内に用意され得る、データベース構造のコンテンツは、ホームネットワークオペレータによってのみ更新されるように動作可能である。
【０００６】
別の実施形態において、本開示は、ワイヤレス装置のネットワークリストのアプリケーションを管理するシステムに関し、複数のネットワーク選択制御コードを、対応する複数のネットワーク選択基準に関連させる第１のデータベース構造であって、ネットワーク選択基準が、ワイヤレス装置（例えば、ＦＰＬＭＮリストなど）に関連するネットワークリストにおいて識別されたネットワークに対して、異なる処理オプションを規定する、第１のデータベース構造と、対応するネットワーク識別子によって識別されるネットワークのリストが配置される第２のデータベース構造であって、それぞれのネットワーク識別子が、第１のデータベース構造において識別される、対応するネットワーク選択制御コードに関連する、第２のデータベース構造の要素のうちの一つ以上を備える。例示的なインプリメンテーションのために、システムは、ＲＳＭの一部として、またはワイヤレス装置内に具現され得る。
【０００７】
さらなる実施形態において、本開示は、ワイヤレス装置に関連するネットワークリストのアプリケーションによって変更されるネットワーク選択方法に関し、該方法は、スキャニングを介して、ワイヤレス装置によって発見される少なくとも一つのネットワークに関連するネットワーク識別子を決定することと、ネットワーク識別子に関連する選択制御コードを決定することと、選択制御コードに依存して、少なくとも一つのネットワークに関連した特定の選択基準を適用することとの動作のうちの一つ以上を含み、ネットワークは禁止されたネットワークとして指定される。
【０００８】
本発明は、さらに以下の手段を提供する。
【０００９】
（項目１）  
ワイヤレス装置（１０２）上のネットワークリストのアプリケーションを管理する方法であって、
複数のネットワーク選択制御コード（４０２）を、対応する複数のネットワーク選択基準（４０４）に関連させる第１のデータベース構造（４００Ａ）を提供することであって、該ネットワーク選択基準（４０４）が、該ワイヤレス装置（１０２）に関連するネットワークリスト（３００）において識別されたネットワークに対して、異なる処理オプションを規定する、ことと、
対応するネットワーク識別子（４２２）によって識別されるネットワークのリストが配置される第２のデータベース構造（４００Ｂ）を提供することであって、それぞれのネットワーク識別子が、該第１のデータベース構造（４００Ａ）において識別される、対応するネットワーク選択制御コード（４０２）に関連する、ことと
を包含する、方法。
【００１０】
（項目２）  
上記第１および上記第２のデータベース構造（４００Ａ、４００Ｂ）のうちの少なくとも一つが、上記ワイヤレス装置（１０２）に結合されるように動作可能である着脱可能な記憶装置モジュール（２１４）上に格納される、項目１に記載のワイヤレス装置（１０２）上のネットワークリストのアプリケーションを管理する方法。
【００１１】
（項目３）  
上記第１および上記第２のデータベース構造（４００Ａ、４００Ｂ）のうちの少なくとも一つが、上記ワイヤレス装置（１０２）内に一体化されるメモリモジュールに格納される、項目１に記載のワイヤレス装置（１０２）上のネットワークリストのアプリケーションを管理する方法。
【００１２】
（項目４）  
上記第１および上記第２のデータベース構造（４００Ａ、４００Ｂ）のうちの少なくとも一つが、上記ワイヤレス装置（１０２）に関連するホームネットワークオペレータによってのみ、更新されるように動作可能である、項目１から項目３のいずれか一項に記載のワイヤレス装置（１０２）上のネットワークリストのアプリケーションを管理する方法。
【００１３】
（項目５）  
上記ネットワークリスト（３００）が、ユーザ規定の禁止ネットワークリスト、オペレータ規定の禁止ネットワークリスト、および企業規定の禁止ネットワークリストのうちの少なくとも一つを含む、項目１から項目４のいずれか一項に記載のワイヤレス装置（１０２）上のネットワークリストのアプリケーションを管理する方法。
【００１４】
（項目６）  
ワイヤレス装置（１０２）に関連するネットワークリストのアプリケーションによって変更されるネットワーク選択方法であって、
スキャニング（５０２）を介して、該ワイヤレス装置（１０２）によって発見される少なくとも一つのネットワークに関連するネットワーク識別子を決定すること（５０４）と、
該ネットワーク識別子に関連する選択制御コードを決定すること（５０６）と、
該選択制御コードに依存して、該少なくとも一つのネットワークに関連した特定の選択基準を適用すること（５０８）と
を備える、ネットワーク選択方法。
【００１５】
（項目７）  
上記スキャニング（５０２）が初期スキャン手順およびバックグラウンド手順のうちの一つとして実行される、項目６に記載のワイヤレス装置（１０２）に関連するネットワークリストのアプリケーションによって変更されるネットワーク選択方法。
【００１６】
（項目８）  
上記ネットワーク識別子に関連する選択制御コードを決定すること（５０６）が、対応するネットワーク識別子によって識別されるネットワークのリストが配置されるデータベース構造（４００Ａ、４００Ｂ）をクエリすることを包含し、それぞれのネットワーク識別子が、特定の選択基準を識別するように動作可能である、対応するネットワーク選択制御コードに関連する、項目６または７に記載のワイヤレス装置（１０２）に関連するネットワークリストのアプリケーションによって変更されるネットワーク選択方法。
【００１７】
（項目９）  
上記ネットワークのリストが、ユーザ規定の禁止ネットワークリスト、オペレータ規定の禁止ネットワークリスト、および企業規定の禁止ネットワークリストのうちの少なくとも一つを含む、項目８に記載のワイヤレス装置（１０２）に関連するネットワークリストのアプリケーションによって変更されるネットワーク選択方法。
【００１８】
（項目１０）  
ワイヤレス装置（１０２）上のネットワークリストのアプリケーションを管理するシステムであって、
複数のネットワーク選択制御コード（４０２）を、対応する複数のネットワーク選択基準（４０４）に関連させる第１のデータベース構造（４００Ａ）であって、該ネットワーク選択基準（４０４）が、該ワイヤレス装置（１０２）に関連するネットワークリスト（３００）において識別されたネットワークに対して、異なる処理オプションを規定する、第１のデータベース構造（４００Ａ）と、
対応するネットワーク識別子（４２２）によって識別されるネットワークのリストが配置される第２のデータベース構造（４００Ｂ）であって、それぞれのネットワーク識別子が、該第１のデータベース構造（４００Ａ）において識別される、対応するネットワーク選択制御コード（４０２）に関連する、第２のデータベース構造（４００Ｂ）と
を備える、システム。
【００１９】
（項目１１）  
上記第１および上記第２のデータベース構造（４００Ａ、４００Ｂ）のうちの少なくとも一つが、上記ワイヤレス装置（１０２）に結合されるように動作可能である着脱可能な記憶装置モジュール（２１４）上に格納される、項目１０に記載のワイヤレス装置（１０２）上のネットワークリストのアプリケーションを管理するシステム。
【００２０】
（項目１２）  
上記第１および上記第２のデータベース構造（４００Ａ、４００Ｂ）のうちの少なくとも一つが、上記ワイヤレス装置（１０２）内に一体化されるメモリモジュールに格納される、項目１０に記載のワイヤレス装置（１０２）上のネットワークリストのアプリケーションを管理するシステム。
【００２１】
（項目１３）  
上記第１および上記第２のデータベース構造のうちの少なくとも一つが、上記ワイヤレス装置（１０２）に関連するホームネットワークオペレータによってのみ、更新されるように動作可能である、項目１０から項目１２のいずれか一項に記載のワイヤレス装置（１０２）上のネットワークリストのアプリケーションを管理するシステム。
【００２２】
（項目１４）  
上記ネットワークリスト（３００）が、ユーザ規定の禁止ネットワークリスト、オペレータ規定の禁止ネットワークリスト、および企業規定の禁止ネットワークリストのうちの少なくとも一つを含む、項目１０から項目１３のいずれか一項に記載のワイヤレス装置（１０２）上のネットワークリストのアプリケーションを管理するシステム。
【００２３】
（摘要）
ワイヤレスユーザ装備（ＵＥ）装置（１０２）上にて禁止されたネットワークリストを管理するシステムおよび方法である。一実施形態において、複数のネットワーク選択制御コード（４０２）を、対応する複数のネットワーク選択基準（４０４）に関連させる第１のデータベース構造（４００Ａ）が提供され、ネットワーク選択基準（４０４）が、ワイヤレス装置（１０２）に関連するネットワークリスト（３００）において識別されたネットワークに対して、異なる処理オプションを規定する。対応するネットワーク識別子（４２２）によって識別されるネットワークのリストが配置される第２のデータベース構造（４００Ｂ）が提供され、それぞれのネットワーク識別子が、第１のデータベース構造（４００Ａ）において識別される、対応するネットワーク選択制御コード（４０２）に関連する。着脱可能な記憶装置モジュール（２１４）の一部として、またはワイヤレス装置（１０２）のメモリ内に用意され得る、データベース構造（４００Ａ、４００Ｂ）のコンテンツは、ホームネットワークオペレータによってのみ更新されるように動作可能である。
【００２４】
本開示の実施形態のより完全な理解は、添付の図面と組み合わせた場合における下記の詳細な説明を参照することによって得られる。
【発明を実施するための最良の形態】
【００２５】
本開示のシステムおよび方法はここで、実施形態が最良になされ得、使用され得る方法の様々な例に関連して記載される。同様の参照番号は、類似または対応する部分を示すために、本記載および図面のいくつかの概観を通して使用され、様々な要素は必ずしも縮尺通りではない。図面を参照して、および、より詳細には、図１を参照して、そこに表されているのは、例示的な、一般化されたネットワーク環境１００である。そこでは、本開示の一実施形態が実施され得る。一般化されたワイヤレスユーザ装備（ＵＥ）またはモバイル装備（ＭＥ）装置１０２は、任意のポータブルコンピュータ（例えば、ラップトップ、パームトップ、または携帯用コンピュータ装置）、または、モバイル通信装置（例えば、セル式電話、または、メッセージを受信および送信でき、ウェブを閲覧することなどが可能である、データ対応の携帯用装置など）、あるいは、改良された携帯情報端末（ＰＤＡ）装置、またはｅメール、ビデオメール、インターネットアクセス、企業データアクセス、メッセージング、カレンダー操作およびスケジューリング、情報管理などを可能にする一体型情報電気機器（それらは好ましくは、一つ以上の動作モード、および、多数の周波数帯域および／または無線アクセス技術（ＲＡＴ）において動作可能である）を含み得る。例えば、ＵＥ／ＭＥ装置１０２は、セル式電話帯域周波数およびワイヤレスローカルエリアネットワーク（ＷＬＡＮ）帯域において動作し得る。さらに、ＵＥ装置がワイヤレスに動作し得る他の帯域は、Ｗｉ−Ｍａｘ帯域または一つ以上の衛星帯域を含み得る。従って、本開示の目的に対して、用語「ＵＥ装置」または「ワイヤレス装置」がモバイル装備（ＭＥ）装置（任意の着脱可能な記憶装置モジュール、または、ユニバーサル加入者識別モジュール（ＵＳＩＭ）カードなどのＲＳＭ、着脱可能ユーザ識別モジュール（ＲＵＩＭ）カード、加入者識別モジュール（ＳＩＭ）カード、またはコンパクトフラッシュ（登録商標）カードなどを用いて、または用いずに）、および他のポータブルワイヤレス情報電気機器（また、ＲＳＭを用いて、または用いずに）を含み得る。
【００２６】
例示を目的として、ネットワーク環境１００は、ＵＥ装置１０２へサービスを提供することができる通信スペースの二つの広範なカテゴリとして表され、そこにおいて、ネットワーク広告情報の獲得が、本明細書において説明される技術に従い、達成され得る。広域セル式ネットワーク（ＷＡＣＮ）スペース１０４において、パケット交換データサービスを含み得、または含み得ないセル式電話サービスを提供するように動作可能である、任意の数のパブリック陸上移動通信網（ＰＬＭＮ）が存在し得る。範囲領域、およびユーザがローミングするかどうかに依存して、ＷＡＣＮスペース１０４は、多数のホームネットワーク１１０（すなわち、ホームＰＬＭＮまたはＨＰＬＭＮ、あるいは同等のＨＰＬＭＮまたはＥＥＰＬＭＮ）、ビジテッド（ｖｉｓｉｔｅｄ）ネットワーク（つまり、ＶＰＬＭＮ）１１２を含み得、それぞれは、ホーム位置登録（ＨＬＲ）ノード１１５、モバイル交換センター（ＭＳＣ）ノード１１６、などの、適切なインフラストラクチャを有する。ＷＡＣＮスペース１０４はまた、汎用パケット無線サービス（ＧＰＲＳ：Ｇｅｎｅｒａｌ  Ｐａｃｋｅｔ  Ｒａｄｉｏ  Ｓｅｒｖｉｃｅ）ネットワークを含み得、グローバル移動体通信システム（ＧＳＭ）ベースのキャリアネットワークの携帯電話用インフラストラクチャを用いたモバイル機器のパケット無線アクセスを提供し、Ｓｅｒｖｉｎｇ  ＧＰＲＳサポートノード（ＳＧＳＮ）１１４はそこで例示される。付け加えて、普及された方法によって、ＷＡＣＮスペース１０４のＰＬＭＮは、拡張型高速データレート展開（ＥＤＧＥ）（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｅｖｏｌｕｔｉｏｎ）ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重接続（ＣＤＭＡ）ネットワーク、時分割多重接続（ＴＤＭＡ）ネットワーク、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、または第３世代パートナーシッププロジェクト規格対応ネットワーク（３ＧＰＰ：３ｒｄ  Ｇｅｎｅｒａｔｉｏｎ  Ｐａｒｔｎｅｒｓｈｉｐ  Ｐｒｏｊｅｃｔ）（例えば、３ＧＰＰまたは３ＧＰＰ２）からなる群から選択された、無線アクセスおよびコアネットワークを含み得、それら全ては、既知の周波数帯域およびプロトコルとともに動作する。すなわち、少なくとも一部の実施形態において、用語「ＰＬＭＮ」は、様々なセル式およびワイヤレス技術（例えば、ＷＬＡＮ、ＷｉＭａｘ、パブリックセーフティネットワークインプリメンテーションなど）を表すように見なされ得る。
【００２７】
さらに、ＵＥ装置１０２は、ＷＡＣＮスペース１０４に接続されるアクセスネットワーク（ＡＮ）スペース１０６からのサービスを得るように動作可能である。一実施において、ＡＮスペース１０６は、一つ以上のジェネリックアクセスネットワーク（ＧＡＮ）１１８、および、無線ＬＡＮ（ＷＬＡＮ）配置１２０の任意のタイプを含み、それらの両方は、ＵＥ装置１０２と、ブロードバンドインターネットプロトコル（ＩＰ）ベースネットワークを使用するＰＬＭＮコアネットワークとの間のアクセスサービスを提供するように動作可能である任意の無線ＡＮとして普及され得る。ＷＬＡＮ配置１２０は、アクセスポイント（ＡＰ）または「ホットスポット（ｈｏｔ  ｓｐｏｔ）」を介して、短距離無線接続をＵＥ装置１０２に提供し、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格（ＩＥＥＥ８０２．１６およびＩＥＥＥ８０２．１６ｅ）、ＯｐｅｎＡｉｒ規格、およびＢｌｕｅｔｏｏｔｈ規格（ＩＥＥＥ８０２．１５）などの、様々な規格を用いて実施され得る。
【００２８】
一実施形態において、ＷＡＣＮとＡＮスペースとの間の接点は、所定の規格に従って実施され得る。例えば、ＧＡＮ１１８は、３ＧＰＰ  ＴＲ４３．９０１、３ＧＰＰ  ＴＳ４３．３１８、および３ＧＰＰ  ＴＳ  ４４．３１８ドキュメント、ならびに関連するドキュメンテーションにおいて説明される手順を使用する、一つ以上のＰＬＭＮとインターフェース接続し得る。同様に、ＷＬＡＮ１２０は、３ＧＰＰ  ＴＳ２２．２３４、３ＧＰＰ  ＴＳ２３．２３４、および３ＧＰＰ  ＴＳ２４．２３４ドキュメント、ならびに関連するドキュメンテーションにおいて説明される手順を使用する、少なくとも一つのＰＬＭＮコアと接し得、それゆえ、Ｉｎｔｅｒｗｏｒｋｉｎｇ  ＷＬＡＮ（Ｉ−ＷＬＡＮ）配置と呼ばれ得る。
【００２９】
前述に基づいて、ネットワーク環境１００のサービスインフラストラクチャは、一つ以上の無線アクセスネットワーク（ＲＡＮ）（それは、携帯電話帯域技術とＷＬＡＮ技術を含み得る）、一つ以上のコアネットワーク（ＣＮ）、および一つ以上のサービスネットワーク（ＳＮ）である、三つの広いセグメントに一般化され得る。ネットワーク所有の配置およびサービスレベルの取り決めに依存して、それぞれのＲＡＮは、一つ以上のＣＮをサポートし得、次に、それらのそれぞれが一つ以上のＳＮをサポートし得る。多数のオーナーに亘るインフラストラクチャ装備の組み合わせは、時々、Ｍｏｂｉｌｅ  Ｖｉｒｔｕａｌ  Ｎｅｔｗｏｒｋ  Ｏｐｅｒａｔｏｒｓ（ＭＶＮＯ）を作成するために使用される。一部の実施形態において、本出願開示の教示は、ＰＬＭＮに関するＭＶＮＯに等しく適用可能である。それぞれのＲＡＮ、ＣＮ、およびＳＮはそれ自体のネットワーク識別子（ＩＤコード）を提供され得るゆえ、多数のＲＡＮ−ＣＮ−ＳＮの組み合わせが、ネットワーク環境１００において利用可能である。以下で検討されるように、様々なネットワークリストおよび関連するデータ（例えば、ユーザまたはオペレータ優先のネットワーク（アクセスまたは、ビジテッド（ｖｉｓｉｔｅｄ））、ユーザまたはオペレータ禁止のネットワーク（アクセスまたは、ビジテッド）、ネットワーク性能のリスト、リストされたネットワークに関連する周波数データ（帯域、チャンネル、周波数など））は、ＵＥ装置またはネットワークと動作可能である、ネットワーク環境に用意され得るか、またはＲＳＭ（すなわち、ＵＳＩＭカード、ＲＵＩＭカード、ＳＩＭカード、またはコンパクトフラッシュ（登録商標）メディアなどから選択されたモジュール）の一部として用意され得、例示的なネットワーク環境において、サービスのためのネットワークを配置することを企てる一方で、ネットワーク選択を容易にするためにカスタマイズされた方法において、ＵＥ装置に提供され得るか、そこに格納され得る。
【００３０】
本開示の教示を定式化するために、ここで図２が参照され、ネットワーク環境２００の例示的な実施形態において、図１に図示された、一般化されたネットワーク環境１００のさらに具体的なサブセットが示される。図に示されるように、ワイヤレスＵＥ装置１０２は、ＲＡＮセグメント２０２からネットワーク広告情報を獲得するために動作可能なように配置され、ＲＡＮセグメント２０２は、次に、ＳＮセグメント２０６に結合されるＣＮセグメント２０４に結合される。三つのＲＡＮである、ＲＡＮ−１（２０８−１）、ＲＡＮ−２（２０８−２）、およびＲＡＮ−３（２０８−３）が図示され、それらは個々に、ネットワークコードであるＭＡＮＣ１、ＭＡＮＣ２、およびＭＡＮＣ３を用いて識別される。ＣＮセグメント２０４はまた、ＣＮ−１（２１０−１）（ＭＣＮＣ１のＩＤコードを有する）、ＣＮ−２（２１０−２）（ＭＣＮＣ２のＩＤコードを有する）、およびＣＮ−３（２１０−３）（ＭＣＮＣ３のＩＤコードを有する）の三つのＣＮが図示される。同様に、ＳＮセグメント２０６は、ＳＮ−１（２１２−１）（ＭＳＮＣ１のＩＤコードを有する）、ＳＮ−２（２１２−２）（ＭＳＮＣ２のＩＤコードを有する）、およびＳＮ−３（２１２−３）（ＭＳＮＣ３のＩＤコードを有する）のＳＮが図示される。
【００３１】
例として、ＲＡＮ−１（２０８−１）は、二つのＣＮである、ＣＮ−１（２１０−１）およびＣＮ−２（２１０−２）への接続をサポートするように動作可能である。同様な方法において、ＲＡＮ−２（２０８−２）は三つのＣＮをサポートし、ＲＡＮ−３（２０８−３）は一つのＣＮのみをサポートする。それぞれのＣＮは、一つ以上のＳＮ（例えば、ＣＮ−３（２１０−３）はＳＮ−２（２１２−２）およびＳＮ−３（２１２−３）に接続する）への接続をサポートする。ＲＡＮ／ＣＮ／ＳＮセグメントの相互接続を与えられ、識別コードのいくつかの組み合わせは、ワイヤレスＵＥ装置１０２が潜在的に発見し得、および選択し得る様々なＲＡＮ−ＣＮ−ＳＮの組み合わせを独自に識別するために得られ得る。例えば、適切なモバイル国別コード（ＭＣＣ）が含まれつつ、ＲＡＮ−１（２０８−１）に関連する三つのＩＤコードの組み合わせは、
［ＭＣＣ．ＭＡＮＣ１．ＭＣＮＣ１．ＭＳＮＣ１］；
［ＭＣＣ．ＭＡＮＣ１．ＭＣＮＣ１．ＭＳＮＣ２］；および
［ＭＣＣ．ＭＡＮＣ１．ＭＣＮＣ２．ＭＳＮＣ２］である。
【００３２】
同様に、ＲＡＮ−２  ２０８−２に関連するＩＤコードの組み合わせは、
［ＭＣＣ．ＭＡＮＣ２．ＭＣＮＣ１．ＭＳＮＣ１］；
［ＭＣＣ．ＭＡＮＣ２．ＭＣＮＣ１．ＭＳＮＣ２］；
［ＭＣＣ．ＭＡＮＣ２．ＭＣＮＣ２．ＭＳＮＣ２］；
［ＭＣＣ．ＭＡＮＣ２．ＭＣＮＣ３．ＭＳＮＣ２］；および
［ＭＣＣ．ＭＡＮＣ２．ＭＣＮＣ３．ＭＳＮＣ３］である。
【００３３】
ＲＡＮ−３（２０８−３）に関連する二つのＩＤコードの組み合わせは、［ＭＣＣ．ＭＡＮＣ３．ＭＣＮＣ３．ＭＳＮＣ２］および［ＭＣＣ．ＭＡＮＣ３．ＭＣＮＣ３．ＭＳＮＣ２］である。２００５年４月２８日に出願され、出願番号第１１／１１６，４７０号（代理人整理番号第１４００−１０３６ＵＳ）、および上述で参照され、「ＳＹＳＴＥＭ  ＡＮＤ  ＭＥＴＨＯＤ  ＦＯＲ  ＰＲＯＶＩＤＩＮＧ  ＮＥＴＷＯＲＫ  ＡＤＶＥＲＴＩＳＥＭＥＮＴ  ＩＮＦＯＲＭＡＴＩＯＮ  ＶＩＡ  Ａ  ＮＥＴＷＯＲＫ  ＡＤＶＥＲＴＩＳＥＭＥＮＴ  ＢＲＯＫＥＲ（ＮＡＢ）」と題された、関連する米国特許出願において詳細に記載されるように、ＵＥ装置は、初期スキャン手順（すなわち、装置が任意のネットワークに登録されていない場合）か、または、バックグラウンドスキャン手順（すなわち、装置がネットワークに登録されている場合）かのいずれかにおいて、適用可能なネットワークＩＤコード情報を発見することができる。
【００３４】
図１に関連して、前記された例示的なネットワーク環境１００の多様性を考慮すると、スキャニングは、ＧＥＲＡＮ（ＥＤＧＥなしの）、ＧＥＲＡＮ（ＥＤＧＥありの）、ＩＤＥＮネットワーク、ＣＤＭＡ／ＣＤＭＡ２０００／ＴＤＭＡネットワーク、ＵＭＴＳネットワークなどの技術の少なくとも一つが動作している周波数帯において実施され得ることが認識される。付け加えて、ＷＬＡＮアクセス性能が含まれるところでは、スキャニングは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格から選択されたＷＬＡＮ規格に対応する周波数帯において実施され得る。
【００３５】
ＲＳＭカード２１４は、ワイヤレスＵＥ／ＭＥ装置１０２に結合されるように動作可能であり、そこにおいて、多数のネットワークリスト、および関連する周波数データは、ネットワークオペレータなどによって用意され得る。ＲＳＭが存在し、ＵＥ装置が最初にオンにされる場合、ＵＥ装置の記憶装置モジュールは、ＲＳＭにおいて格納される任意の情報を用いて更新され得る。従って、一実施形態において、ＲＳＭは、それが加入者に供給される場合、最も現在の周波数情報を用いてプログラムされ得る。ＲＳＭにおけるデータは、例えば、検索またはスキャニングのために装置に格納される、周波数のデフォルトリスト、または周波数のラスタに、付加的周波数を追加する。代替的にか、または追加的に、ＲＳＭにおけるデータは、装置に既に格納された周波数データを修正し得、その結果、使用されていないそれらの周波数が取り除かれ得、または、それらが検索計画の一部としてスキャンされない方法においてマークされ得る。以下で検討されるように、適切なデータベース構造は、ＲＳＭにおいて用意され得るか、または、特に、適用可能な周波数データおよびネットワークリストデータを格納するための、ワイヤレス装置のメモリにおいて用意され得る。さらに、追加的なオペレータ制御のデータベース構造は、本開示の教示に従い、様々な禁止されたネットワークリストを管理する目的のためにも、提供され得る。
【００３６】
ここで図３を参照すると、そこで開示されるのは例示的なデータベース構造であり、その例示的なデータベース構造は、部分的に、または任意の組み合わせにおいて、ＲＳＭの一部としてか、またはワイヤレス装置内に一体化されるメモリに格納され、提供され得るか、あるいは、ネットワークリスト情報が、本開示の目的のために、ワイヤレス装置に選択的にダウンロードされ得るネットワークノード（例えば、ホームネットワークノードまたはそれに関連するブローカ）において用意され得る。初めに、本開示において説明される様々な例示的なデータベース構造は通常、エントリ、要素、または他のコンテンツが無線（ＯＴＡ）方法を介して修正され得る、構成可能なデータベースとしてインプリメントされ得ることは理解されるべきである。例えば、ネットワークオペレータは、関連するネットワークリストのデータベース、および選択制御データベースの任意の部分を追加、削除、または修正することが可能である。特に、図３の参照番号３００は、オペレータベースのリスト、ユーザベースのリスト、または企業ベースのリスト、あるいはそれらの任意の組み合わせとして提供され得、本開示の一局面に従い、ネットワーク選択選好（ｐｒｅｆｅｒｅｎｃｅ）および禁止を容易にする。一実施形態において、データベース構造３００は、一つ以上の無線アクセス技術において、禁止されたネットワークと考えられるべき複数のネットワークＩＤを特定するオペレータ規定のネットワークとして構成され、そのネットワークＩＤはオペレータによって配置される。別の実施形態において、データベース構造３００は、一つ以上のユーザ規定のネットワークリストとして構成され得、例えば、ユーザ毎の一つのリストが、ワイヤレスＵＥ装置を使用し、データエントリは、ユーザ規定の禁止ネットワークに関連する。それぞれのそのようなリストは、それら自体を装置に識別させた後、ユーザによってアクセスされ得、リスト（すなわちネットワークＩＤ）のコンテンツは、個々のユーザによって配置される。さらなる別の実施形態において、データベース構造３００は、その従業員のユーザの利益のために、ワイヤレス装置を所有する企業によって禁止されるネットワークＩＤのリストとして構成され得る。
【００３７】
特定の構成に関わらず、データベース構造３００は、例えば、ＥＤＧＥ技術３０２Ａ、ＷＬＡＮ技術３０２Ｂ、およびＵＭＴＳ技術３０２Ｃなどの複数の無線アクセス技術を規定し、多数のＲＡＮ  ＩＤは、それぞれの技術に提供される。図３に示されるように、列３０４Ａは、ＥＤＧＥ技術に対する多数のＲＡＮ  ＩＤを識別し、それぞれのＲＡＮは、対応する列３０６Ａにおいて識別された一つ以上のコアネットワークをサポートする。同様に、列３０４Ｂ／３０６Ｂおよび列３０４Ｃ／３０６Ｃは、個々に、ＷＬＡＮおよびＵＭＴＳ技術に提供される。当業者が理解し得るように、様々なＩＤは、サービスセットＩＤ（ＳＳＩＤ）（ＷＬＡＮのための）、ＳＩＤ（ＩＳ−９５およびＩＳ−１３６のための）、または［ＭＣＣ，ＭＮＣ］の組み合わせ（ＧＳＭのためのであり、そこでは、ＭＮＣがモバイルネットワークコードを識別する）であり得る。
【００３８】
上記で説明された、禁止またはバー（ｆｏｒｂｉｄｄｅｎ  ｏｒ  ｂａｒｒｅｄ）ネットワークリストと同様に、類似したデータベース構造が提供され得、使用が選好された一つ以上のネットワークを識別する。そのような選好された（ｐｒｅｆｅｒｒｅｄ）ネットワークのリストは、例えば、オペレータ選好のＲＡＮリスト（つまり、一人のオペレータによって特定される）、企業選好のＲＡＮリスト（つまり、一つの企業によって特定される）、オペレータ選好のＣＮリスト（つまり、一人のオペレータによって特定される）、企業選好のＣＮリスト（つまり、一つの企業によって特定される）として構成され得る。
【００３９】
付け加えて、様々な選好された、およびバー／禁止されたネットワークリストを用意することは、スキャニングおよびネットワーク選択に関連して、それらを使用する順序を特定するための、適切な装置ベースのロジックまたはＲＳＭベースのロジックに伴い得る。さらに、それぞれの国は、どのリストが優先されるべきかに関する、それ自体の規則的な要求を有し得る。例えば、企業は、その企業の敷地の近隣にて動作するパブリックＷＬＡＮアクセスポイントへのアクセスを禁止し得る。さらに、所定の追加的なロジックは、スキャニング動作を特定するために必要とされ得、というのは、装置がスキャニングすることができる技術毎の基準にて、多数の帯域が存在し得るからである。例えば、リスト順序付けスキームまたはそれに関連するロジックは装置に提供され得、それによって、特定の優先順位の順番は、様々なネットワークリストに課される。特定の階層／優先が特定されない場合、次いでデフォルトの規則が作動し得る（例えば、オペレータ規定のリストが企業規定のリストよりも高い優先順位を有し、次に、企業規定のリストがユーザ規定のリストよりも高い優先順位を有する、など）。リストの優先順序化およびスキャニング動作に関する追加的な詳細は、以下の共有に係る、同時係属の米国特許出願、（ｉ）２００５年４月２８日に出願され、出願番号第１１／１１６，４６１号、「ＮＥＴＷＯＲＫ  ＳＥＬＥＣＴＩＯＮ  ＳＣＨＥＭＥ  ＵＳＩＮＧ  Ａ  ＲＯＡＭＩＮＧ  ＢＲＯＫＥＲ  （ＲＢ）」、（ｉｉ）２００５年４月２８日に出願され、出願番号第１１／１１６，４７０号、「ＳＹＳＴＥＭ  ＡＮＤ  ＭＥＴＨＯＤ  ＦＯＲ  ＰＲＯＶＩＤＩＮＧ  ＮＥＴＷＯＲＫ  ＡＤＶＥＲＴＩＳＥＭＥＮＴ  ＩＮＦＯＲＭＡＴＩＯＮ  ＶＩＡ  Ａ  ＮＥＴＷＯＲＫ  ＡＤＶＥＲＴＩＳＥＭＥＮＴ  ＢＲＯＫＥＲ（ＮＡＢ）」において見出され得、それぞれが上にて参照されている。
【００４０】
図４Ａおよび図４Ｂは、本開示の教示に従い、ＰＬＭＮリストの管理を容易にするワイヤレス装置またはＵＥによって活用され得る例示的なデータベース構造を表す。以前に指摘したように、例示されたデータベース構造は、個々に、部分的に、または任意の組み合わせのいずれかにて、ＲＳＭの一部としてか、ＲＳＭが結合されるように動作可能であるワイヤレス装置のメモリ内にて、用意され得る。好ましくは、これらのデータベースは、ユーザ名およびそれに関連するパスワードを提供した後、一度だけ書かれるように動作可能である。
【００４１】
第１のデータベース構造４００Ａは、複数のネットワーク選択制御コード（ＳＣＣ）４０２を、ネットワークリスト（例えば、上記した、ユーザ規定の禁止ネットワークリスト、オペレータ規定の禁止ネットワークリスト、企業規定の禁止ネットワークリストなど）の管理に関連する複数のネットワーク選択基準４０４に関連させるように動作可能である。示されるように、ＳＣＣ４０２は、バイナリコードからなり、多数の選択基準を許可する。例えば、４ビットコードは、１６の選択基準までをサポートすることができるが、可変のビットサイズのＳＣＣは、任意の数の選択処置をサポートすることができる。例示の目的で、［００００］のＳＣＣは、コード［００００］に関連する全てのネットワークが常に禁止されるべきであることを示し、手動の選択の間でさえも、ユーザによって上書きされ得ない。別の例において、［０００１］のＳＣＣは、コード［０００１］に関連する全てのネットワークが常に禁止されるべきであることを示すが、それらが選択のために利用可能な唯一のネットワークである場合を除く。同様に、［００１０］のＳＣＣは、そのようなネットワークが自動選択のみに対して常に禁止されるべきであることを示し、［００１１］のＳＣＣは、そのようなネットワークが手動ネットワーク選択のみに対して常に禁止されるべきであることを示す。追加的な処置オプションは、ワイヤレス装置上にて、禁止されたネットワークリストの応用のさらなる様式（ｍｏｄａｌｉｔｙ）を規定するために用意する場合にて、ネットワークオペレータによって構成され得る。
【００４２】
第２のデータベース構造４００Ｂは、好ましくは、対応するネットワーク識別子４２２によって識別されるネットワークのリストが配置され、それぞれのネットワークの識別子は、対応するＳＣＣ４０２にマップされるか、さもなければ、それに関連される。参照番号４２４は、ＳＣＣがワイヤレス装置のネットワーク選択プロセスおよび動作を変更し得る方法を例示する。例示的なネットワーク識別子［ＭＣＣ２．ＭＡＮＣ１］は、コード［００００］にマップされ、［ＭＡＮＣ１］によって識別されるアクセスネットワークは、［ＭＣＣ２］によって識別される地理的領域において全てのコアネットワークに対して常に禁止される。第２の例において、ネットワーク識別子［ＭＣＣ２．ＭＣＮＣ２］は、コード［００００］に関連し、［ＭＣＮＣ２］によって識別されるコアネットワークは、［ＭＣＣ２］によって識別される地理的領域における、全てのアクセスネットワークおよび技術に対して常に禁止される。同様に、第３の例において、ネットワーク識別子［ＭＣＣ３．ＭＡＮＣ１．ＭＣＮＣ２］はコード［００１１］に関連し、コード［ＭＡＮＣ１］および［ＭＣＮＣ２］によって識別される特定のＡＮ／ＣＮネットワークの組み合わせが、［ＭＣＣ３］によって識別される地理的領域における手動のネットワーク選択に対して選択されることができないことを示す。
【００４３】
上記したデータベース４００Ａおよび４００Ｂに類似するデータベース構造またはロジックが、他のタイプのネットワークリスト（例えば、オペレータ規定の選好のネットワークリスト、ユーザ規定の選好のネットワークリスト、企業規定の選好のネットワークリストなど）に対して用意され得ることを、当業者は理解すべきである。さらに、適切な優先順位付けロジックはまた、選択制御データベース４００Ａおよび４００Ｂとインターフェースされ得、選択動作をさらに変更させる。追加的に、または代替的に、選択制御データベースは単一の構造に共に一体化され得、または、特定のインプリメンテーションおよび用意に依存して、個々に、部分的に、または任意の組み合わせのいずれかにおいて、ネットワークリストなどの他の構造に一体化され得る。
【００４４】
好ましくは、上で説明されたデータベース構造は、ネットワークオペレータ（例えば、ワイヤレス装置に関連するホームネットワークオペレータなど）によってのみ用意され得、更新され得る。データベース構造４００Ａ／４００Ｂによって容易にされる「ネットワークブラックリスト（ｂｌａｃｋｌｉｓｔ）」スキームをインプリメントすることによって、（ｉ）自動選択によってリスト上のネットワークへのアクセスを防ぐ、（ｉｉ）他のネットワークが利用可能でない場合を除いて、自動選択によってリスト上のネットワークへのアクセスを防ぐ、（ｉｉｉ）自動および手動選択によってリスト上のネットワークへのアクセスを防ぐ（すなわち、手動選択によってオペレータ規定のブラックリスト上のネットワークの除去が防がれる）、（ｉｖ）他のネットワークが選択のために利用可能でない場合を除いて、自動および手動選択によってリスト上のネットワークへのアクセスを防ぐ、などの多数の性能が実現され得る。
【００４５】
図５は、本開示の一実施形態に関連するフローチャートであり、ワイヤレス装置に関連するネットワークリストの応用によって変更されるネットワーク選択方法が開示される。一つ以上の周波数範囲、および／または一つ以上の無線技術におけるワイヤレス装置によってスキャニングした後、少なくとも一つのネットワークが発見され得（ブロック５０２）、その識別情報は、それに関連するネットワーク識別子を決定するためにデコードされる（ブロック５０４）。ネットワーク識別子に関連する選択制御コードは、図４Ａおよび図４Ｂに関連して上述されたデータベース構造などの、適切なデータ構造をクエリすることによって、次いで決定される（ブロック５０６）。選択制御コードに依存して、特定の選択基準は、その発見されたネットワークに適用される（ブロック５０８）。
【００４６】
図６は、本特許出願開示の教示に従い、ＲＳＭからネットワークリスト情報のダウンロードをカスタマイズするように動作可能であるワイヤレス装置またはＵＥ装置の一実施形態のブロック図を示す。この点に関して当業者は、ＵＥ１０２の一実施形態が図６に示されたものと類似した配置を含み得るが、記載された様々なモジュールに関して、ハードウェア、ソフトウェア、またはファームウェアにおける多数の変更および修正が存在し得ることは理解されたい。従って、図６の配置は、本特許出願開示の実施形態に関して、限定するのではなく、例示のためとして考えられるべきである。ＵＥ６００全体の制御を提供するマイクロプロセッサ６０２は、通信サブシステム６０４と動作するように結合され、通信サブシステム６０４は、複数の帯域を介して、マルチモード通信を実施する、送信器／受信器（送受信器）機能を含む。例えば、広域ワイヤレスＴｘ／Ｒｘモジュール６０６およびワイヤレスＡＮ  Ｔｘ／Ｒｘモジュール６０８が例示される。特に図示されてはいないが、それぞれのＴｘ／Ｒｘモジュールは、一つ以上のローカル発振器（ＬＯ）モジュール、ＲＦスイッチ、ＲＦ帯域通過フィルタ、Ａ／ＤおよびＤ／Ａコンバータ、デジタル信号プロセッサ（ＤＳＰ）などの処理モジュール、ローカルメモリなどの、他の関連する構成要素を含み得る。通信領域における当業者に明らかであるように、通信サブシステム６０４の特定の設計は、ＵＥ装置が動作することが意図されているネットワーク通信に依存し得る。一実施形態において、通信サブシステム６０４は、音声およびデータ通信両方を用いて動作可能である。
【００４７】
マイクロプロセッサ６０２はまた、補助入力／出力（Ｉ／Ｏ）６１８、シリアルポート６２０、ディスプレイ６２２、キーボード６２４、スピーカ６２６、マイクロフォン６２８、ランダムアクセスメモリ（ＲＡＭ）６３０、短距離通信サブシステム６３２、および、参照番号６３３として包括的にラベルされる任意の他の装置サブシステムなどの、さらなる装置サブシステムを相互接続する。アクセスを制御するために、ＳＩＭ／ＲＵＩＭインターネット６３４がまた、マイクロプロセッサ６０２と通信して提供される。一実施形態において、ＳＩＭ／ＲＵＩＭインターネット６３４は、識別および加入者関連データ、ならびに、一つ以上のＳＳＩＤ／ＰＬＭＮリストおよび、上で詳細に記載されたフィルタなどに関連する、多数のキー構成６４４および他の情報６４６を有するＳＩＭ／ＲＵＩＭカードを用いて動作可能である。
【００４８】
オペレーティングシステムソフトウェアおよび他の制御ソフトウェアは、フラッシュメモリ６３５などの、持続性記憶装置モジュール（不揮発性記憶装置）において実施され得る。一実施において、フラッシュメモリ６３５は、異なる領域、例えば、コンピュータプログラム６３６のための領域、および、装置状態６３７などのデータ格納領域、アドレスブック６３９、他の個人情報管理（ＰＩＭ）データ６４１、および参照番号６４３として一般にラベルされる他のデータ格納領域などの、異なる領域に分離され得る。付け加えて、適切なネットワーク発見／選択ロジック６４０は、先行するセクションにおいて説明された様々なネットワーク発見／スキャニングおよび選択手順を実行する持続性記憶装置の一部として提供され得る。ＲＳＭ（図示されず）からネットワークリスト情報のダウンロードを管理およびカスタマイズするためのロジックはまた、ロジックモジュール６４８として例示される。それに関連するのは、ＳＳＩＤ／ＰＬＭＮリスト、選択／スキャニングフィルタ、性能インジケータなどを格納する記憶装置モジュール６３８であり、上にて詳細に記載された。
【００４９】
本特許出願の実施形態の動作および構成は、上記で説明された詳細な説明から明らかである。図示され詳述された例示的な実施形態は好もしいものとして特徴付けられる一方で、様々な変更および修正が、本特許請求の範囲において説明される本発明の範囲から逸脱することなく、そこにおいてなされ得ることは容易に理解されるべきである。
【図面の簡単な説明】
【００５０】
【図１】一般化されたネットワーク環境を示し、本開示の一実施形態が実施され得る。
【図２】ネットワーク環境の例示的な実施形態を表し、ワイヤレスユーザ装備（ＵＥ）装置は、本開示の教示に従い、一つ以上の禁止されたＰＬＭＮ（ＦＰＬＭＮ）リストを管理するように動作可能である。
【図３】本開示の教示に従い管理されるように動作可能なＰＬＭＮリストに関する、例示的なデータベース構造を表す。
【図４】図４Ａ、４Ｂは、ＰＬＭＮリストの管理を容易にするためにＵＥ装置によって活用され得る、追加の例示的なデータベース構造を表す。
【図５】本開示の一実施形態に関連するフローチャートである。
【図６】本開示の教示に従い、ワイヤレスＵＥ装置の一実施形態のブロック図を表す。
【符号の説明】
【００５１】
１０２  ワイヤレス装置
２１４  記憶装置モジュール
３００  ネットワークリスト
４００Ａ  第１のデータベース構造
４００Ｂ  第２のデータベース構造
４０２  ネットワーク選択制御コード
４０４  ネットワーク選択基準
４２２  ネットワーク識別子
【図１】
2007013986.tif 000003
【図２】
2007013986.tif 000004
【図３】
2007013986.tif 000005
【図４】
2007013986.tif 000006
【図５】
2007013986.tif 000007
【図６】
2007013986.tif 000008